(57)【特許請求の範囲】
【請求項１】
レンズ孔を有する第１部材と、
前記第１部材と対向する板状の第２部材と、
前記第１部材と前記第２部材との間に配置されており、前記レンズ孔の内側に配置されるレンズ鏡筒と、
前記レンズ鏡筒と前記第１部材および前記第２部材それぞれとの間に挿入され、前記レンズ鏡筒を支持する弾性部材と、
を備え、
前記弾性部材は、前記第１部材に固定されるとともに、前記第２部材に当接され、
前記レンズ鏡筒は、本体と、前記本体の側面に連結される連結部と、前記連結部から前記第１部材側に突出する第１凸部と、前記連結部から前記第２部材側に突出する第２凸部と、を有し、
前記弾性部材は、筒状に形成されており、前記連結部を収容する収容空間と、前記収容空間に繋がり、前記第１凸部が挿入される第１挿通孔と、前記収容空間に繋がり、前記第２凸部が挿入される第２挿通孔と、を内部に有する、
撮像装置。
【請求項２】
前記レンズ鏡筒は、前記本体に支持される撮像素子を有し、
前記撮像素子の光軸に沿った光軸方向において、前記第１凸部と前記第１部材との間隔は、前記本体と前記第１部材との間隔よりも小さい、
請求項１に記載の撮像装置。
【請求項３】
前記光軸方向において、前記第２凸部と前記第２部材との間隔は、前記本体と前記第２部材との間隔よりも小さい、
請求項１に記載の撮像装置。
【請求項４】
前記光軸の半径方向において、前記弾性部材と前記第１部材との間隔は、前記本体と前記第１部材との間隔よりも小さい、
請求項１に記載の撮像装置。
【請求項５】
レンズ孔を有する第１部材と、
前記第１部材と対向する板状の第２部材と、
前記第１部材と前記第２部材との間に配置されており、前記レンズ孔の内側に配置されるレンズ鏡筒と、
前記レンズ鏡筒と前記第１部材および前記第２部材それぞれとの間に挿入され、前記レンズ鏡筒を支持する弾性部材と、
を備え、
前記弾性部材は、前記第１部材に固定されるとともに、前記第２部材に当接され、
前記第１部材は、前記第２部材側に向かって突出する突出部を有し、
前記レンズ鏡筒は、前記弾性部材を取り付けるための取り付け孔が形成され、前記突出部を取り囲む環状部を有しており、
前記弾性部材は、前記環状部が嵌め込まれる環状凹部と、前記突出部が挿入される挿入孔と、を有し、
前記弾性部材は前記挿入孔に対向する個所において前記第２部材に当接する、
撮像装置。
【請求項６】
前記第１部材は、前記突出部の近傍に形成され、前記第２部材に連結される連結部を有する、
請求項５に記載の撮像装置。
【請求項７】
前記第２部材は、横長形状に形成されており、
前記連結部は、前記第２部材の長辺方向における前記第１部材の中央部に配置されている、
請求項６に記載の撮像装置。
【請求項８】
前記第１部材上において前記レンズ孔の外縁を覆うように配置される環状オーナメントを備え、
前記環状オーナメントは、前記レンズの光軸に垂直な方向において前記レンズ鏡筒が移動することを規制する、
請求項１又は５に記載の撮像装置。
【請求項９】
前記環状オーナメントは、前記第１部材に対向する対向面と、前記対向面上に形成される３つの第１規制部とを有し、
前記レンズ鏡筒は、前記３つの第１規制部それぞれに嵌め合わされる３つの第２規制部を有する、
請求項８に記載の撮像装置。
【請求項１０】
前記弾性部材は、外表面と前記挿入孔の内表面とに連通する連通孔を有する、
請求項５に記載の撮像装置。
【請求項１１】
前記連通孔は、前記レンズの光軸方向に沿って前記弾性部材の中心に形成されている、
請求項１０に記載の撮像装置。
【発明の詳細な説明】
【技術分野】
【０００１】
本発明は、レンズ鏡筒を備える撮像装置に関する。
【背景技術】
【０００２】
従来、撮像装置（例えば、デジタルカメラなど）のレンズ鏡筒を支持する手法として、レンズ鏡筒の外周に設けられる板状の取付け部材と弾性部材と機器本体とを光軸方向に順次重ね合わせて、ビスによって取付け部材を機器本体に締め付ける手法が知られている（特開２００５−１６４６２０号公報参照）。この手法によれば、レンズ鏡筒に加えられる光軸方向の外力を弾性部材によって吸収できるので、レンズ鏡筒から機器本体に光軸方向の外力が直接伝達されることを抑制することができる。
【先行技術文献】
【特許文献】
【０００３】
【特許文献１】特開２００５−１６４６２０号公報
【発明の概要】
【発明が解決しようとする課題】
【０００４】
しかしながら、特許文献１に記載の手法では、レンズ鏡筒の外周に設けられる複数の取付け部材をビスによって機器本体に一つ一つ締め付ける必要がある。
本発明は、上述の状況に鑑みてなされたものであり、容易に組立可能なレンズ鏡筒を備える撮像装置を提供することを目的とする。
【課題を解決するための手段】
【０００５】
本発明に係る撮像装置は、レンズ孔を有する第１部材と、第１部材と対向する板状の第２部材と、第１部材と第２部材との間に配置されており、レンズ孔の内側に配置されるレンズ鏡筒と、レンズ鏡筒と第１部材および第２部材それぞれとの間に挿入され、レンズ鏡筒を支持する弾性部材と、を備える。弾性部材は、第１部材に固定されるとともに、第２部材に当接されている。弾性部材は、第１部材に固定されるとともに、第２部材に当接されている。
【発明の効果】
【０００６】
本発明によれば、容易に組立可能なレンズ鏡筒を備える撮像装置を提供することができる。
【図面の簡単な説明】
【０００７】
【図１】第１実施形態に係るデジタルカメラ１の前面斜視図である。
【図２】第１実施形態に係るデジタルカメラ１の後面斜視図である。
【図３】第１実施形態に係るデジタルカメラ１の内部構成を示す分解図である。
【図４】第１実施形態に係るデジタルカメラ１の内部構成を示す断面図である。
【図５】図４の拡大図である。
【図６】第１実施形態に係るレンズ鏡筒２０の組立て方法を説明するための図である。
【図７】第１実施形態に係るレンズ鏡筒２０の組立て方法を説明するための図である。
【図８】第１実施形態に係るレンズ鏡筒２０の組立て方法を説明するための図である。
【図９】第１実施形態に係るレンズ鏡筒２０の組立て方法を説明するための図である。
【図１０】第２実施形態に係るデジタルカメラの内部構成を示す分解図である。
【図１１】第２実施形態に係るレンズ鏡筒の斜視図である。
【図１２】第２実施形態に係るデジタルカメラ１の内部構成を示す断面図である。
【図１３】ゴムキャップ１００の構成を示す断面図である。
【図１４】ゴムキャップ１００の構成を示す断面図である。
【図１５】ゴムキャップ１００の構成を示す断面図である。
【発明を実施するための形態】
【０００８】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【０００９】
なお、以下の実施形態では、「撮像装置」の一例としてデジタルカメラを例に挙げて説明するが、「撮像装置」には、銀塩カメラ、ビデオカメラ等々の各種光学機器が含まれる。
また、以下の説明において、「前」「後」「上」「下」「右」「左」とは、被写体に正対する横撮り姿勢のデジタルカメラを基準とする用語である。横撮り姿勢とは、撮像画像の長辺方向が撮像画像中の水平方向と略一致する場合におけるデジタルカメラの姿勢である。
【００１０】
［第１実施形態］
（デジタルカメラ１の概略構成）
以下、図面を参照しながら本発明の第１実施形態に係るデジタルカメラ１について説明する。図１は、第１実施形態に係るデジタルカメラ１の前面斜視図である。図２は、第１実施形態に係るデジタルカメラ１の後面斜視図である。
【００１１】
デジタルカメラ１は、筐体１０と、レンズ鏡筒２０、レンズパネル３０と、マイク４０と、ＬＣＤ５０と、を備える。
筐体１０は、前面パネル１１と、センターパネル１２と、後面パネル１３と、を備える。前面パネル１１は、板状の外観部材であり、伸縮可能なレンズ鏡筒２０が伸縮時に通る開口を有する。センターパネル１２は、Ｕ字型の外観部材である。センターパネル１２は、前面パネル１１と後面パネル１３との間に配置される。後面パネル１３は、環状の外観部材であり、環内にはＬＣＤ５０が嵌め込まれている。
【００１２】
レンズ鏡筒２０は、前後方向において伸縮可能である。レンズ鏡筒２０は、伸長時には前面パネル１１の開口から前方に突出し、収縮時には前面パネル１１の開口の内側に収納される。レンズ鏡筒２０の構成については後述する。
レンズパネル３０は、前面パネル１１上においてレンズ鏡筒２０を取り囲む環状オーナメントである。レンズパネル３０には、例えば樹脂メッキが施されている。レンズパネル３０の構成については後述する。
【００１３】
マイク４０は、筐体１０の内部に配置される。マイク４０は、動画撮影時の外部音声を電気信号に変換する。
ＬＣＤ５０は、撮像画像を表示するモニターである。
（デジタルカメラ１の内部構成）
次に、デジタルカメラ１の内部構成について、図面を参照しながら説明する。図３は、デジタルカメラ１の内部構成を示す分解図である。
【００１４】
デジタルカメラ１は、図３に示すように、レンズ鏡筒２０と、レンズパネル３０と、フレーム６０と、フレームプレート７０と、第１〜第３ゴムキャップ１００ａ〜１００ｃと、を備える。
レンズ鏡筒２０は、筒状部２１と、固定枠２２と、レンズ群２３と、撮像素子２４と、ズームモーター２５と、ギアボックス２６と、フォーカスモーター２７と、を有する。レンズ鏡筒２０は、フレーム６０とフレームプレート７０とのよって挟み込まれている。
【００１５】
筒状部２１は、光軸ＡＸに沿って伸縮可能である。筒状部２１は、第１凹部２１ａ、第２凹部２１ｂおよび第３凹部２１ｃを有する。第１〜第３凹部２１ａ〜２１ｃは、筒状部２１の外周面に形成される。第１〜第３凹部２１ａ〜２１ｃは、光軸ＡＸを中心とする周方向において１２０度ずつ離間して等間隔に配置されている。
固定枠２２は、筒状部２１の後側に連結される板状部材である。固定枠２２は、フレームプレート７０と平行に配置される。固定枠２２はＰＣ（polycarbonate）ガラス入り材料によって構成されている。固定枠２２は、第１取付け部２２ａ、第２取付け部２２ｂ、第３取付け部２２ｃを有する。第１〜第３取付け部２２ａ〜２２ｃそれぞれは、固定枠２２の外周において略等間隔で配置される。第１〜第３取付け部２２ａ〜２２ｃそれぞれには、第１〜第３ゴムキャップ１００ａ〜１００ｃを取り付けるための取り付け孔２２Ｓ（図５参照）が形成されている。
【００１６】
レンズ群２３は、複数もしくは単数のレンズを有しており、被写体の光学像を形成する。レンズ群２３は、光軸ＡＸを有している。撮像素子２４は、被写体の光学像を電気信号に変換する光電変換部材である。ズームモーター２５は、筒状部２１を伸縮するための回転力を供給する。ギアボックス２６は、ズームモーター２５の回転数を調整する。フォーカスモーター２７は、レンズ群２３を駆動するための回転力を供給する。
【００１７】
レンズパネル３０は、フレーム６０上において後述するレンズ孔６０Ｓの外縁を覆うように配置される。レンズパネル３０は、対向面３０Ｓ、第１凸部３０ａ、第２凸部３０ｂおよび第３凸部３０ｃを有する。対向面３０Ｓは、レンズ鏡筒およびフレーム６０に対向する。第１〜第３凸部３０ａ〜３０ｃは、レンズ鏡筒２０の第１〜第３凹部２１ａ〜２１ｃに対応して設けられており、対向面３０Ｓ上において略等間隔で配置される。第１〜第３凸部３０ａ〜３０ｃそれぞれは、第１〜第３凹部２１ａ〜２１ｃそれぞれに嵌め合わされる。これによって、光軸ＡＸに垂直な上下左右方向におけるレンズ鏡筒２０の移動が規制されている。
【００１８】
フレーム６０は、デジタルカメラ１の骨格を成しており、ＰＣとＡＢＳ（acrylonitrile-butadiene-styrene）樹脂との成型品によって構成されている。フレーム６０は、レンズ鏡筒２０の前方に配置される。フレーム６０には、マイク４０が固定されているので、フレーム６０の振動は機械雑音としてマイク４０に入力されうる。そこで、本実施形態では、後述するように、レンズ鏡筒２０の伸縮時における振動がレンズ鏡筒２０からフレーム６０に伝達され難い構造が採用されている。
【００１９】
フレーム６０は、レンズ孔６０Ｓ、第１ボスピン６１ａ、第２ボスピン６１ｂ、第３ボスピン６１ｃ、第１連結爪６２ａ、第２連結爪６２ｂおよび第３連結爪６２ｃを有する。レンズ孔６０Ｓの内側には、レンズ鏡筒２０が配置される。
第１〜第３ボスピン６１ａ〜６１ｃは、フレームプレート７０に向かって突出する円柱状の凸部である。第１〜第３ボスピン６１ａ〜６１ｃは、固定枠２２の第１〜第３取付け部２２ａ〜２２ｃに対応して設けられおり、レンズ孔６０Ｓの外周において略等間隔で配置される。第１〜第３ボスピン６１ａ〜６１ｃの先端が第１〜第３ゴムキャップ１００ａ〜１００ｃに挿入されることによって、フレーム６０は、レンズ鏡筒２０を前方で支持している。第１〜第３ボスピン６１ａ〜６１ｃの構成については後述する。
【００２０】
第１連結爪６２ａは、第１ボスピン６１ａに隣接して配置される。第１連結爪６２ａは、左右方向（すなわち、フレームプレート７０の長辺方向）におけるフレーム６０の略中央に配置される。また、第１連結爪６２ａは、レンズ孔６０Ｓの上側に配置されており、かつ、上下方向においてレンズ孔６０Ｓに重なっている。第２連結爪６２ｂは、第２ボスピン６１ｂに隣接して配置される。第２連結爪６２ｂは、左右方向におけるフレーム６０の略中央に配置される。また、第２連結爪６２ｂは、レンズ孔６０Ｓの下側に配置されており、かつ、上下方向においてレンズ孔６０Ｓに重なっている。第３連結爪６２ｃは、レンズ孔６０Ｓの左側に配置されている。第３連結爪６２ｃは、左右方向においてレンズ孔６０Ｓに重なっており、上下方向におけるフレーム６０の略中央に配置される。
【００２１】
フレームプレート７０は、ＬＣＤ５０を支持する横長矩形状の板状部材である。フレームプレート７０は、レンズ鏡筒２０の後方に配置される。フレームプレート７０は、第１〜第３ゴムキャップ１００ａ〜１００ｃの後端に当接することによって、レンズ鏡筒２０を後方で支持している。フレームプレート７０は、第１連結孔７０ａ、第２連結孔７０ｂおよび第３連結孔７０ｃを有する。第１〜第３連結孔７０ａ〜７０ｃは、第１〜第３連結爪６２ａ〜６２ｃに対応して設けられている。第１〜第３連結孔７０ａ〜７０ｃには、第１〜第３連結爪６２ａ〜６２ｃが連結される。
【００２２】
第１〜第３ゴムキャップ１００ａ〜１００ｃは、フレーム６０とフレームプレート７０との間に挟まれている。第１〜第３ゴムキャップ１００ａ〜１００ｃは、前方から第１〜第３ボスピン６１ａ〜６１ｃが挿入されることによってフレーム６０に固定されるとともに、後方からフレームプレート７０が当接されている。このような第１〜第３ゴムキャップ１００ａ〜１００ｃの材料としては、例えばブチルゴムが好適であるが、これに限られるものではない。第１〜第３ゴムキャップ１００ａ〜１００ｃの構成については後述する。
【００２３】
（ゴムキャップ１００の取り付け構造）
以下において、ゴムキャップ１００の取り付け構造について、図面を参照しながら説明する。図４は、デジタルカメラ１の内部構成を示す断面図である。図５は、図４の部分拡大図である。図４では、第１凹部２１ａと光軸ＡＸと第２ゴムキャップ１００ｂとを通る断面が示されている。
【００２４】
なお、第１〜第３ゴムキャップ１００ａ〜１００ｃそれぞれは同じ構成を有しているので、以下において第２ゴムキャップ１００ｂについて説明し、第１および第３ゴムキャップ１００ａ,１００ｃの説明を省略する。
第２ゴムキャップ１００ｂは、レンズ鏡筒２０が有する第２取付け部２２ｂの取り付け孔２２Ｓの内側に嵌め込まれている。また、第２ゴムキャップ１００ｂには、フレーム６０が有する第２ボスピン６１ｂの先端が差し込まれている。
【００２５】
ここで、図５に示すように、第２ゴムキャップ１００ｂは、第１部分１１０Ａと、第２部分１１０Ｂと、括れ部１２０と、環状凹部１３０と、挿入穴１４０と、を有する。
第１部分１１０Ａは、レンズ鏡筒２０の第２取付け部２２ｂとフレームプレート７０との間に挟みこまれている。第１部分１１０Ａの後端がフレームプレート７０に当接することによって、レンズ鏡筒２０の後方位置が決められ、レンズ鏡筒２０が後方にずれることが規制されている。
【００２６】
第２部分１１０Ｂは、第２取付け部２２ｂと第２ボスピン６１ｂとの間に挟みこまれている。第２部分１１０Ｂの前端が第２ボスピン６１ｂのボス本体部２００に当接することによって、レンズ鏡筒２０の前方位置が決められ、レンズ鏡筒２０が前方にずれることが規制されている。
括れ部１２０は、第１部分１１０Ａ及び第２部分１１０Ｂの間に形成され、第１部分１１０Ａ及び第２部分１１０Ｂに連通する。第２ゴムキャップ１００ｂは、細く狭まった括れ部１２０において、第２取付け部２２ｂの取り付け孔２２Ｓの内側に嵌め込まれている。
【００２７】
環状凹部１３０は、括れ部１２０の外側において、第１部分１１０Ａ及び第２部分１１０Ｂの間に形成される。環状凹部１３０は、環状に形成された第２取付け部２２ｂの取り付け孔２２Ｓに嵌め込まれている。
挿入穴１４０は、第２ゴムキャップ１００ｂ（第１部分１１０Ａ、第２部分１１０Ｂ及び括れ部１２０）の内部において光軸ＡＸに沿って前後方向に形成されている。
【００２８】
ここで、第２ボスピン６１ｂは、ボス本体部２００と、先端部２１０と、を有している。ボス本体部２００は、第２部分１１０Ｂの前端を支持する。これによって、レンズ鏡筒２０の前方位置が決められている。先端部２１０は、ボス本体部２００からフレームプレート７０側に向かって突出する円柱状部材である。先端部２１０の先端は、第２取付け部２２ｂよりもフレームプレート７０の近くに位置している。そのため、先端部２１０は、取り付け孔２２Ｓの内側に配置され、第２ゴムキャップ１００ｂを介して第２取付け部２２ｂに取り囲まれている。先端部２１０は、第２ゴムキャップ１００ｂの挿入穴１４０に差し入れられている。これによって、レンズ鏡筒２０の上下左右位置が決められ、レンズ鏡筒２０が光軸ＡＸに垂直な方向にずれることが規制されている。
【００２９】
なお、本実施形態では、先端部２１０の先端と挿入穴１４０の底面との間には空隙が設けられている。
（レンズ鏡筒２０の組立て方法）
次に、レンズ鏡筒２０の組立て方法について、図面を参照しながら説明する。図６〜図９は、レンズ鏡筒２０の組立て方法を説明するための図である。
【００３０】
まず、図６に示すように、レンズ鏡筒２０が有する第１〜第３取付け部２２ａ〜２２ｃの取り付け孔２２Ｓに第１〜第３ゴムキャップ１００ａ〜１００ｃを嵌め込む。
次に、図７に示すように、フレーム６０が有する第１〜第３ボスピン６１ａ〜６１ｃの先端を第１〜第３ゴムキャップ１００ａ〜１００ｃに差し込む。これによって、第１〜第３ゴムキャップ１００ａ〜１００ｃを介してレンズ鏡筒２０がフレーム６０によって支持された状態となり、レンズ鏡筒２０の前方位置が決まる。
【００３１】
次に、図８に示すように、フレーム６０の前方からレンズパネル３０を装着する。この際、レンズ鏡筒２０の第１〜第３凹部２１ａ〜２１ｃ（図８において第１凹部２１ａのみ図示）にレンズパネル３０の第１〜第３凸部３０ａ〜３０ｃを嵌め合わせる。これによって、レンズ鏡筒２０の左右上下位置が決まる。
次に、図９に示すように、フレームプレート７０の内側面（前面）を第１〜第３ゴムキャップ１００ａ〜１００ｃに当接させながら、フレーム６０の第１〜第３連結爪６２ａ〜６２ｃをフレームプレート７０の第１〜第３連結孔７０ａ〜７０ｃに連結する。これによって、第１〜第３ゴムキャップ１００ａ〜１００ｃを介してレンズ鏡筒２０がフレームプレート７０によって支持された状態となり、レンズ鏡筒２０の後方位置が決まる。
【００３２】
（作用及び効果）
（１）第１実施形態に係るデジタルカメラ１は、レンズ鏡筒２０とフレーム６０（「第１部材」の一例）及びフレームプレート７０（「第２部材」の一例）それぞれとの間に配置される第２ゴムキャップ１００ｂを有する。第２ゴムキャップ１００ｂは、フレーム６０に固定されるとともに、フレームプレート７０に当接されている。
【００３３】
このように、レンズ鏡筒２０は、第２ゴムキャップ１００ｂを介してフレーム６０とフレームプレート７０との間に挟み込むことによって保持されている。従って、第２ゴムキャップ１００ｂをビス留めする必要がないので、簡便にレンズ鏡筒２０を組み立てることができる。また、第２ゴムキャップ１００ｂを直接フレームプレート７０に当接させられるので、ビスを用いる場合のように第２ゴムキャップ１００ｂとフレームプレート７０との間に隙間を設ける必要がない。従って、デジタルカメラ１をより小型化させることができる。
【００３４】
また、レンズ鏡筒２０とフレーム６０及びフレームプレート７０それぞれとの間に第２ゴムキャップ１００ｂが挿入されているので、レンズ鏡筒２０に加わる前後方向の外力だけでなく上下左右方向の外力がフレーム６０及びフレームプレート７０に直接伝達されることを抑制できる。そのため、デジタルカメラ１の内部構造が破損することを抑制できる。
【００３５】
さらに、レンズ鏡筒２０とフレーム６０との間に第２ゴムキャップ１００ｂが挿入されているので、レンズ鏡筒２０の機械雑音がフレーム６０に直接伝達されることを抑制できる。そのため、レンズ鏡筒２０の機械雑音がマイク４０によって集音されることを抑制できる。
なお、以上の効果は、第２ゴムキャップ１００ｂに限らず、第１及び第３ゴムキャップ１００ａ，１００ｃそれぞれにおいても得ることができる。
【００３６】
（２）フレーム６０は、フレームプレート７０側に向かって突出する第２ボスピン６１ｂ（「突出部」の一例）を有する。レンズ鏡筒２０は、第２ボスピン６１ｂを取り囲む第２取付け部２２ｂ（「環状部」の一例）を有する。第２ゴムキャップ１００ｂは、第２取付け部２２ｂの内側に嵌め込まれる環状凹部１２０と、先端部２１０が挿入される挿入穴１４０とを有する。
【００３７】
従って、レンズ鏡筒２０を組立てる際、フレーム６０の第２ボスピン６１ｂと第２ゴムキャップ１００ｂとを容易に連結することができる。このことは、第２ボスピン６１ｂを第２ゴムキャップ１００ｂの挿入穴１４０に挿入する作業を目視できない場合に特に有効である。
また、第２ボスピン６１ｂが第２ゴムキャップ１００ｂを介して第２取付け部２２ｂに取り囲まれているので、レンズ鏡筒２０に加わる上下左右方向の外力は、第２ゴムキャップ１００ｂで吸収されるとともに、第２ボスピン６１ｂによって受け止められる。そのため、デジタルカメラ１の内部構造が破損することをより抑制できるとともに、第２ゴムキャップ１００ｂが破損することを抑制できる。
【００３８】
（３）フレーム６０は、第２ボスピン６１ｂの近傍に形成され、フレームプレート７０に連結される第２連結爪６２ｂ（「連結部」の一例）を有する。
このように、第２ボスピン６１ｂの近傍でフレーム６０とフレームプレート７０とを連結することによって、第２ボスピン６１ｂから第２ゴムキャップ１００ｂが外れることを抑制できる。
【００３９】
（４）第１連結爪６２ａは、フレームプレート７０の長辺方向（すなわち、左右方向）におけるフレーム６０の中央部に配置されている。
このように、フレームプレート７０の撓みによって間隙が生じやすい位置でフレーム６０とフレームプレート７０とを連結することによって、第１ボスピン６１ａから第１ゴムキャップ１０が外れることを効果的に抑制できる。
【００４０】
（５）レンズパネル３０（「環状オーナメント」の一例）は、光軸ＡＸに垂直な方向においてレンズ鏡筒２０が移動することを規制する。
すなわち、レンズ鏡筒２０の左右上下位置がレンズパネル３０によって決められているので、レンズ鏡筒２０に加わる左右上下方向の外力がフレーム６０に与える影響を小さくすることができる。また、レンズ鏡筒２０に左右上下方向の外力が加わった場合においても、レンズ鏡筒２０がレンズパネル３０と干渉することを抑制できる。そのため、レンズ群２３の繰り出しがレンズパネル３０によって妨げられることを抑制できる。
【００４１】
（６）レンズパネル３０は、対向面３０Ｓ上に形成される３つの第１〜第３凸部３０ａ〜３０ｃ（「第１規制部」の一例）を有する。レンズ鏡筒２０は、３つの第１〜第３凸部３０ａ〜３０ｃに嵌め合わされる３つの第１〜第３凹部２１ａ〜２１ｃ（「第２規制部」の一例）を有する。
このように、レンズ鏡筒２０の左右上下位置が３箇所で決められているので、レンズ鏡筒２０を左右上下方向においてバランス良く固定することができる。
【００４２】
［第２実施形態］
以下、図１０〜図１２を参照しながら、本発明の第２実施形態に係るデジタルカメラについて説明する。図１０は、第２実施形態に係るデジタルカメラ１の内部構成を示す分解斜視図である。図１１は、第２実施形態に係るレンズ鏡筒２０の構成を示す拡大斜視図である。
【００４３】
デジタルカメラ１は、図１０に示すように、デジタルカメラ１は、レンズ鏡筒２０’と、フレーム６０’と、フレームプレート７０’と、第１乃至第３ゴムキャップ１５０ａ〜１５０ｃと、第１乃至第３ビス８０ａ〜８０ｃと、を備える。
レンズ鏡筒２０’は、フレーム６０’とフレームプレート７０’との間に挟まれている。レンズ鏡筒２０’は、図１１に示すように、固定枠２２に設けられる第１乃至第３取付け部２８ａ〜２８ｃを有する。
【００４４】
第１乃至第３取付け部２８ａ〜２８ｃは、前後方向に沿って設けられる棒状部材である。第１乃至第３取付け部２８ａ〜２８ｃそれぞれには、第１乃至第３ゴムキャップ１５０ａ〜１５０ｃのそれぞれが取り付けられる。第１乃至第３取付け部２８ａ〜２８ｃそれぞれは、連結部２８１と、前端凸部２８２（第１凸部の一例）と、後端凸部２８３（第２凸部の一例）とによって構成されている。なお、図１１では、第３取付け部２８ｃから第３ゴムキャップ１５０ｃが取り外された状態が示されており、第３取付け部２８ｃだけの外観が図示されている。図１１に示すように、連結部２８１は、固定枠２２の本体の側面に連結されている。前端凸部２８２は連結部２８１の前方に突出しており、後端凸部２８３は、連結部２８１の後方に突出している。第１乃至第３取付け部２８ａ〜２８ｃの構成については後述する。
【００４５】
フレーム６０’は、図１０に示すように、第１乃至第３挿入凹部６４ａ〜６４ｃと、第１乃至第３ボス孔６５ａ〜６５ｃと、を備える。
第１乃至第３挿入凹部６４ａ〜６４ｃは、光軸ＡＸを中心として略等間隔、すなわち、光軸ＡＸ周りに６０°ずつ離間した位置に配置されている。第１乃至第３挿入凹部６４ａ〜６４ｃには、固定枠２２に取り付けられた第１乃至第３ゴムキャップ１５０ａ〜１５０ｃが挿入される。
【００４６】
第１乃至第３ボス孔６５ａ〜６５ｃは、第１乃至第３挿入凹部６４ａ〜６４ｃに隣接している。従って、第１乃至第３ボス孔６５ａ〜６５ｃも光軸ＡＸを中心として略等間隔に配置されている。第１乃至第３ボス孔６５ａ〜６５ｃそれぞれには、第１乃至第３ビス８０ａ〜８０ｃが圧入される。
フレームプレート７０’は、第１乃至第３ビス８０ａ〜８０ｃが挿通される第１乃至第３挿通孔７１ａ〜７１ｃを有する。第１乃至第３挿通孔７１ａ〜７１ｃは、前後方向において第１乃至第３ボス孔６５ａ〜６５ｃに対応する位置に形成されている。
【００４７】
第１乃至第３ゴムキャップ１５０ａ〜１５０ｃは、レンズ鏡筒２０’の第１乃至第３取付け部２８ａ〜２８ｃに取り付けられる。第１乃至第３ゴムキャップ１５０ａ〜１５０ｃの内部には、連結部２８１を収容するための収容空間１７０が形成されている。第１乃至第３ゴムキャップ１５０ａ〜１５０ｃの詳細構成については後述する。
第１乃至第３ビス８０ａ〜８０ｃは、フレームプレート７０’の後方から第１乃至第３挿通孔７１ａ〜７１ｃに挿通され、フレーム６０’の第１乃至第３ボス孔６５ａ〜６５ｃに圧入される。
【００４８】
（ゴムキャップ１５０の取り付け構造）
以下において、ゴムキャップ１５０の取り付け構造について、図面を参照しながら説明する。図１２は、デジタルカメラ１の内部構成を示す断面図である。図１２では、第１取付け部２８ａの中心軸と光軸ＡＸとを通る切断面が示されている。
なお、第１乃至第３ゴムキャップ１５０ａ〜１５０ｃそれぞれは同じ構成を有しているので、以下においては第１ゴムキャップ１５０ａについて説明する。同様に、第１乃至第３取付け部２８ａ〜２８ｃそれぞれは同じ構成を有しているので、以下においては第１取付け部２８ａについて説明する。
【００４９】
第１取付け部２８ａは、上述の通り、連結部２８１と、前端凸部２８２と、後端凸部２８３とによって構成されている。連結部２８１、前端凸部２８２及び後端凸部２８３は、一体的に形成されており、全体として棒状に形成されている。
第１ゴムキャップ１５０ａは、図１２に示すように、筒状に形成されており、前端筒部１５１と後端筒部１５２とを有する。前端筒部１５１には、第１取付け部２８ａの前端凸部２８２が挿通される前方挿通孔１７１（第１挿通孔の一例）が形成されており、後端筒部１５２には、第１取付け部２８ａの後端凸部２８３が挿通される後方挿通孔１７２（第２挿通孔の一例）が形成されている。前方挿通孔１７１および後方挿通孔それぞれは、連結部２８１を収容するための収容空間１７０（図１１参照）に繋がっている。
【００５０】
ここで、第１取付け部２８ａは、図１２に示すように、第１ゴムキャップ１５０ａによって支持されることによって、フレーム６０’及びフレームプレート７０’から離間されている。
具体的に、第１取付け部２８ａの前端凸部２８２は、前後方向において、フレーム６０’の第１挿入凹部６４ａの底面６４Ｓとの間に間隔ｓ１を有する。間隔ｓ１は、レンズ鏡筒２０’の本体とフレーム６０’の内面との前後方向における間隔ｓ２（図１２において不図示、図４参照）よりも小さい。
【００５１】
また、第１取付け部２８ａの後端凸部２８３は、前後方向において、フレームプレート７０’の内面７０Ｓとの間に間隔ｔ１を有する。間隔ｔ１は、レンズ鏡筒２０’とフレームプレート７０’の内面７０Ｓとの前後方向における間隔ｔ２よりも小さい。
また、第１ゴムキャップ１５０ａは、光軸Ａを中心とする半径方向において、フレーム６０’の内側面との間に間隔ｕ１を有する。間隔ｕ１は、レンズ鏡筒２０’とフレーム６０’との光軸Ａの半径方向における間隔ｕ２よりも小さい。
【００５２】
（作用及び効果）
（１）第２実施形態において、第１取付け部２８ａは、上述の通り、連結部２８１と、前端凸部２８２と、後端凸部２８３とによって構成されている。第１ゴムキャップ１５０ａは、筒状に形成されており、連結部２８１を収容する収容空間１７０と、前端凸部２８２が挿通される前方挿通孔１７１と、後端凸部２８３が挿通される後方挿通孔１７２とを有する。
【００５３】
従って、第１ゴムキャップ１５０ａを組み付ける際には、第１ゴムキャップ１５０ａを第１取付け部２８ａに被せればよいため、レンズ鏡筒２０’に第１ゴムキャップ１５０ａを簡単に組み付けることができる。
また、第１ゴムキャップ１５０ａは、第１取付け部２８ａの外側を覆うように配置されている。そのため、第１ゴムキャップ１５０ａが圧縮され変形したとしても、第１ゴムキャップ１５０ａの変形がレンズ鏡筒２０’の位置ズレを生じさせることを抑制できる。
【００５４】
（２）前後方向において、第１取付け部２８ａの前端凸部２８２とフレーム６０’との間隔ｓ１は、レンズ鏡筒２０’の本体とフレーム６０’との間隔ｓ２より小さい。
従って、デジタルカメラ１に外力が加わった場合には、前端凸部２８２がフレーム６０’に当たることによって、本体がフレーム６０’にぶつかることを抑制できる。
（３）前後方向において、第１取付け部２８ａの後端凸部２８３とフレームプレート７０’との間隔ｔ１は、レンズ鏡筒２０’の本体とフレームプレート７０’との間隔ｔ２より小さい。
【００５５】
従って、デジタルカメラ１に外力が加わった場合には、後端凸部２８３がフレームプレート７０’に当たることによって、本体がフレームプレート７０’にぶつかることを抑制できる。
（４）径方向において、第１ゴムキャップ１５０ａとフレーム６０’との間隔ｕ１は、レンズ鏡筒２０’の本体とフレーム６０’との間隔ｕ２より小さい。
【００５６】
従って、デジタルカメラ１に外力が加わった場合には、第１ゴムキャップ１５０ａがフレーム６０’に当たることによって、本体がフレーム６０’にぶつかることを抑制できる。
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００５７】
（Ａ）上記実施形態において、第２ゴムキャップ１００ｂは、挿入穴１４０を有することとしたが、これに限られるものではない。図１３に示すように、第２ゴムキャップ１００ｂは、挿入穴１４０を有していなくてもよい。また、この場合、第２ゴムキャップ１００ｂは、第２ボスピン６１ｂに挿入される凸部１５０を有していてもよい。これによって、第２ゴムキャップ１００ｂと第２ボスピン６１ｂとを容易に接続できるので、レンズ鏡筒２０の組み付け性を維持できる。
【００５８】
（Ｂ）上記実施形態において、第２ゴムキャップ１００ｂは、１つの部材によって構成されることとしたが、これに限られるものではない。第２ゴムキャップ１００ｂは、複数の部材によって構成されていてもよい。例えば、図１４に示すように、レンズ鏡筒２０の第２取付け部２２ｂに取り付け孔２２Ｓが形成されていない場合、第２ゴムキャップ１００ｂは、第１部分１１０Ａと第２部分１１０Ｂとに分けられていてもよい。すなわち、第２ゴムキャップ１００ｂは、括れ部１２０を備えていなくてもよい。この場合、第１部分１１０Ａは、第２取付け部２２ｂ（すなわち、レンズ鏡筒２０）とフレームプレート７０との間に挟み込まれている。第２部分１００Ｂは、フレーム６０に固定されるとともに、フレーム６０と第２取付け部２２ｂとの間に挟み込まれている。
【００５９】
（Ｃ）上記実施形態では特に触れていないが、第２ゴムキャップ１００ｂは、図１５に示すように、外表面と挿入孔１４０の内表面とに連通する連通孔１６０を有していてもよい。この場合には、挿入孔１４０にボスピン６１をスムーズに挿入することができる。また、このような連通孔１６０は、光軸ＡＸに沿ってゴムキャップ１００の中心に形成されていることが好ましい。これによって、ゴムキャップ１００自体の弾性バランスが崩れることを抑制できる。
【００６０】
（Ｄ）上記実施形態では、連結部の一例として第１〜第３連結爪６２ａ〜６２ｃについて説明したが、これに限られるものではない。連結部は、フレームプレート７０に連結されていればよく、ビスやボルトを介してフレームプレート７０に固定されていてもよい。
【符号の説明】
【００６１】
１…デジタルカメラ
１０…筐体
１１…前面パネル
１２…センターパネル
１３…後面パネル
２０…レンズ鏡筒
２１…筒状部
２１ａ〜２１ｃ…第１〜第３位置決め凹部
２２…固定枠
２２ａ〜２２ｃ…第１〜第３取付け部
２３…レンズ群
２４…撮像素子
２５…ズームモーター
２６…ギアボックス
２７…フォーカスモーター
３０…レンズパネル
３０ａ〜３０ｃ…第１〜第３位置決め凸部
４０…マイク
５０…ＬＣＤ
６０…フレーム
６１ａ〜６１ｃ…第１〜第３ボスピン
６２ａ〜６２ｃ…第１〜第３連結爪
７０…フレームプレート
７０ａ〜７０ｃ…第１〜第３連結孔
１００ａ〜１００ｃ…第１〜第３ゴムキャップ
１１０…頭部
１２０…括れ部
１３０…環状凹部
１４０…挿入穴
２００…ボス本体部
２１０…先端部
【図１】
0005853175.tif 000002
【図２】
0005853175.tif 000003
【図３】
0005853175.tif 000004
【図４】
0005853175.tif 000005
【図５】
0005853175.tif 000006
【図６】
0005853175.tif 000007
【図７】
0005853175.tif 000008
【図８】
0005853175.tif 000009
【図９】
0005853175.tif 000010
【図１０】
0005853175.tif 000011
【図１１】
0005853175.tif 000012
【図１２】
0005853175.tif 000013
【図１３】
0005853175.tif 000014
【図１４】
0005853175.tif 000015
【図１５】
0005853175.tif 000016